(57)【要約】発生装置本体と、ステンレス鋼、アルミニウム、銅、ナイロン、木綿、麻、リンネル、ゴムまたはプラスチックの密に織った布のような非磁性材料で作られており、前記発生装置本体を全体的に覆う覆い部材と、ステンレス鋼、アルミニウム、銅、ナイロン、木綿、麻、リンネル、ゴムまたはプラスチックの紐または綱であり、前記覆い部材を前記発生装置本体に固定する固定部材とを具備してなるＭＲＩ用磁界発生装置。
2006513789.tif 000002
【特許請求の範囲】
【請求項１】
空間を挟んで互いに対向する一対のプレートヨークと、前記一対のプレートヨークの対向面にそれぞれ設置された一対のマグネットと、前記プレートヨークに磁気的に結合したコラムヨークとを含む発生装置本体；および前記発生装置本体を全体的に覆う非磁性材料の部材を具備したことを特徴とするＭＲＩ用磁界発生装置。
【請求項２】
空間を挟んで互いに対向する一対のプレートヨークと、前記一対のプレートヨークの対向面にそれぞれ設置された一対のマグネットと、前記プレートヨークに磁気的に結合したコラムヨークとを含む発生装置本体；および前記発生装置本体の上面および側面を覆うか又は前記発生装置本体の側面を覆うか又は前記発生装置本体の底面および側面を覆う非磁性材料の部材を具備したことを特徴とするＭＲＩ用磁界発生装置。
【請求項３】
請求項１または２に記載のＭＲＩ用磁界発生装置において、前記覆い部材が、ステンレス鋼、アルミニウム、銅、ナイロン、木綿、麻、リンネル、ゴムまたはプラスチックの網で作られていることを特徴とするＭＲＩ用磁界発生装置。
【請求項４】
請求項１または２に記載のＭＲＩ用磁界発生装置において、前記覆い部材の少なくとも前記発生装置本体の開口部分を覆う部分が、ステンレス鋼、アルミニウム、銅、ナイロン、木綿、麻、リンネル、ゴムまたはプラスチックの網を含むことを特徴とするＭＲＩ用磁界発生装置。
【請求項５】
請求項１または２に記載のＭＲＩ用磁界発生装置において、前記覆い部材が、ステンレス鋼、アルミニウム、銅、ナイロン、木綿、麻、リンネル、ゴムまたはプラスチックの密に織った布で作られていることを特徴とするＭＲＩ用磁界発生装置。
【請求項６】
請求項５に記載のＭＲＩ用磁界発生装置において、前記覆い部材の少なくとも前記発生装置本体の開口部分を覆う部分が、ステンレス鋼、アルミニウム、銅、ナイロン、木綿、麻、リンネル、ゴムまたはプラスチックの網を含むことを特徴とするＭＲＩ用磁界発生装置。
【請求項７】
請求項５に記載のＭＲＩ用磁界発生装置において、前記覆い部材の少なくとも前記発生装置本体の開口部分を覆う部分が、ステンレス鋼、アルミニウム、銅、ナイロン、木綿、麻、リンネル、ゴムまたはプラスチックの網を含み、前記覆い部材の他の部分が、ステンレス鋼、アルミニウム、銅、ナイロン、木綿、麻、リンネル、ゴムまたはプラスチックの密に織った布で作られていることを特徴とするＭＲＩ用磁界発生装置。
【請求項８】
請求項１から７のいずれかに記載のＭＲＩ用磁界発生装置において、前記覆い部材を前記発生装置本体に固定するための部材をさらに具備することを特徴とするＭＲＩ用磁界発生装置。
【請求項９】
請求項８に記載のＭＲＩ用磁界発生装置において、前記固定部材が、ステンレス鋼、アルミニウム、銅、ナイロン、木綿、麻、リンネル、ゴムまたはプラスチックの紐または綱を含むことを特徴とするＭＲＩ用磁界発生装置。
【請求項１０】
請求項８または９に記載のＭＲＩ用磁界発生装置において、前記固定部材が、前記一対のプレートヨークの一方側上に設けられていることを特徴とするＭＲＩ用磁界発生装置。
【請求項１１】
請求項８または９に記載のＭＲＩ用磁界発生装置において、前記固定部材が、前記覆い部材を取り巻くように設けられていることを特徴とするＭＲＩ用磁界発生装置。
【請求項１２】
請求項８から１１のいずれかに記載のＭＲＩ用磁界発生装置において、該磁界発生装置を目的場所に輸送後に前記固定部材を除去可能であることを特徴とするＭＲＩ用磁界発生装置。
【請求項１３】
請求項１または２に記載のＭＲＩ用磁界発生装置において、該磁界発生装置を目的場所に輸送後に前記覆い部材を除去可能であることを特徴とするＭＲＩ用磁界発生装置。
【請求項１４】
空間を挟んで互いに対向する一対のプレートヨークと、前記一対のプレートヨークの対向面にそれぞれ設置された一対のマグネットと、前記プレートヨークに磁気的に結合したコラムヨークとを含む発生装置本体を有するＭＲＩ用磁界発生装置の包装方法であって、非磁性体材料の部材で前記発生装置本体の全体を覆うステップ；および前記部材を前記発生装置本体に固定するステップを有することを特徴とするＭＲＩ用磁界発生装置包装方法。
【請求項１５】
空間を挟んで互いに対向する一対のプレートヨークと、前記一対のプレートヨークの対向面にそれぞれ設置された一対のマグネットと、前記プレートヨークに磁気的に結合したコラムヨークとを含む発生装置本体を有するＭＲＩ用磁界発生装置の包装方法であって、非磁性体材料の部材で前記発生装置本体の上面および側面を覆うか又は前記発生装置本体の側面を覆うか又は前記発生装置本体の底面および側面を覆うステップ；および前記部材を前記発生装置本体に固定するステップを有することを特徴とするＭＲＩ用磁界発生装置包装方法。
【請求項１６】
請求項１４または１５に記載のＭＲＩ用磁界発生装置包装方法において、前記部材の少なくとも前記発生装置本体の開口部分を覆う部分が、ステンレス鋼、アルミニウム、銅、ナイロン、木綿、麻、リンネル、ゴムまたはプラスチックの網を含むことを特徴とするＭＲＩ用磁界発生装置包装方法。
【請求項１７】
請求項１４または１５に記載のＭＲＩ用磁界発生装置包装方法において、前記部材が、ステンレス鋼、アルミニウム、銅、ナイロン、木綿、麻、リンネル、ゴムまたはプラスチックの密に織った布で作られていることを特徴とするＭＲＩ用磁界発生装置包装方法。
【請求項１８】
請求項１４または１５に記載のＭＲＩ用磁界発生装置包装方法において、前記部材の少なくとも前記発生装置本体の開口部分を覆う部分が、ステンレス鋼、アルミニウム、銅、ナイロン、木綿、麻、リンネル、ゴムまたはプラスチックの網を含み、前記部材の他の部分が、ステンレス鋼、アルミニウム、銅、ナイロン、木綿、麻、リンネル、ゴムまたはプラスチックの密に織った布で作られていることを特徴とするＭＲＩ用磁界発生装置包装方法。
【請求項１９】
請求項１４から１８のいずれかに記載のＭＲＩ用磁界発生装置包装方法において、前記固定ステップが、ステンレス鋼、アルミニウム、銅、ナイロン、木綿、麻、リンネル、ゴムまたはプラスチックの紐または綱を用いて前記部材を前記発生装置本体に固定するステップを含むことを特徴とするＭＲＩ用磁界発生装置包装方法。
【請求項２０】
請求項１９に記載のＭＲＩ用磁界発生装置包装方法において、前記発生装置本体を覆う部材および前記紐または綱が、前記磁界発生装置を目的場所に輸送後に除去可能であることを特徴とするＭＲＩ用磁界発生装置包装方法。
【発明の詳細な説明】
【技術分野】
【０００１】
本発明は、ＭＲＩ用磁界発生装置およびＭＲＩ用磁界発生装置包装方法に関し、更に詳しくは、ＭＲＩ用磁界発生装置を保管または輸送するための梱包または包装の時間と労力とを節減できるＭＲＩ用磁界発生装置およびＭＲＩ用磁界発生装置包装方法に関する。
【背景技術】
【０００２】
永久磁石を用いた磁界発生装置は、非常に強力な磁力を有している。磁界発生装置を保管したり輸送したりする間に、リグやレンチやジャッキやハンマーのような磁性物体が磁界発生装置の内部に引きつけられ、それによって磁界発生装置が損傷を受けることがある。仮に発生装置が損傷を受けなくても、磁性物体が磁界発生装置の内部に引きつけられてそこに残ると、磁気共鳴撮像（ＭＲＩ）において発生装置により発生する磁界の均一性が損なわれることになる。従って、磁界発生装置を確実に包装または梱包することが必要である。
【０００３】
従来例としては、米国特許第６，３１３，６３２Ｂ１号がＭＲＩ用磁界発生装置梱包方法を開示している。しかしながら、米国特許第６，３１３，６３２Ｂ１号では、多数のスタッドおよび／または固定部材を用いて多量のシールド部材または梱包部材を磁界発生装置に装着するため、梱包に要する時間と労力を膨大に必要とする問題点がある。
【特許文献１】米国特許第６，３１３，６３２Ｂ１号公報
【発明の開示】
【発明が解決しようとする課題】
【０００４】
そこで、本発明の目的は、磁性物体が磁界発生装置の内部に入り込むことを確実に防止しつつ、ＭＲＩ用磁界発生装置を保管または輸送するために梱包または包装するのに要する時間と労力を節減できるＭＲＩ用磁界発生装置およびＭＲＩ用磁界発生装置包装方法を提供することにある。
【課題を解決するための手段】
【０００５】
第１の観点では、本発明は、空間を挟んで互いに対向する一対のプレートヨークと、前記一対のプレートヨークの対向部分に設置された一対のマグネットと、前記プレートヨークに磁気的に結合したコラムヨークとを含む発生装置本体；および前記発生装置本体を全体的に覆う非磁性材料の部材を具備したことを特徴とするＭＲＩ用磁界発生装置を提供する。
【０００６】
第２の観点では、本発明は、空間を挟んで互いに対向する一対のプレートヨークと、前記一対のプレートヨークの対向部分に設置された一対のマグネットと、前記プレートヨークに磁気的に結合したコラムヨークとを含む発生装置本体；および前記発生装置本体の上面および側面を覆うか又は前記発生装置本体の側面を覆うか又は前記発生装置本体の底面および側面を覆う非磁性材料の部材を具備したことを特徴とするＭＲＩ用磁界発生装置を提供する。
【０００７】
第３の観点では、本発明は、前記第１または第２の観点によるＭＲＩ用磁界発生装置において、前記覆い部材が、ステンレス鋼、アルミニウム、銅、ナイロン、木綿、麻、リンネル、ゴムまたはプラスチックの網で作られていることを特徴とするＭＲＩ用磁界発生装置を提供する。
【０００８】
第４の観点では、本発明は、前記第１または第２の観点によるＭＲＩ用磁界発生装置において、前記覆い部材の少なくとも前記発生装置本体の開口部分を覆う部分が、ステンレス鋼、アルミニウム、銅、ナイロン、木綿、麻、リンネル、ゴムまたはプラスチックの網を含むことを特徴とするＭＲＩ用磁界発生装置を提供する。
【０００９】
第５の観点では、本発明は、前記第１または第２の観点によるＭＲＩ用磁界発生装置において、前記覆い部材が、ステンレス鋼、アルミニウム、銅、ナイロン、木綿、麻、リンネル、ゴムまたはプラスチックの密に織った布で作られていることを特徴とするＭＲＩ用磁界発生装置を提供する。
【００１０】
第６の観点では、本発明は、前記第５の観点によるＭＲＩ用磁界発生装置において、前記覆い部材の少なくとも前記発生装置本体の開口部分を覆う部分が、ステンレス鋼、アルミニウム、銅、ナイロン、木綿、麻、リンネル、ゴムまたはプラスチックの網を含むことを特徴とするＭＲＩ用磁界発生装置を提供する。
【００１１】
第７の観点では、本発明は、前記第５の観点によるＭＲＩ用磁界発生装置において、前記覆い部材の少なくとも前記発生装置本体の開口部分を覆う部分が、ステンレス鋼、アルミニウム、銅、ナイロン、木綿、麻、リンネル、ゴムまたはプラスチックの網を含み、前記覆い部材の他の部分が、ステンレス鋼、アルミニウム、銅、ナイロン、木綿、麻、リンネル、ゴムまたはプラスチックの密に織った布で作られていることを特徴とするＭＲＩ用磁界発生装置を提供する。
【００１２】
第８の観点では、本発明は、前記第１から第７のいずれかの観点によるＭＲＩ用磁界発生装置において、前記覆い部材を前記発生装置本体に固定するための部材をさらに具備することを特徴とするＭＲＩ用磁界発生装置を提供する。
【００１３】
第９の観点では、本発明は、前記第８の観点によるＭＲＩ用磁界発生装置において、前記固定部材が、ステンレス鋼、アルミニウム、銅、ナイロン、木綿、麻、リンネル、ゴムまたはプラスチックの紐または綱を含むことを特徴とするＭＲＩ用磁界発生装置を提供する。
【００１４】
第１０の観点では、本発明は、前記第８または第９の観点によるＭＲＩ用磁界発生装置において、前記固定部材が、前記一対のプレートヨークの一方側上に設けられていることを特徴とするＭＲＩ用磁界発生装置を提供する。
【００１５】
第１１の観点では、本発明は、前記第８または第９の観点によるＭＲＩ用磁界発生装置において、前記固定部材が、前記覆い部材を取り巻くように設けられていることを特徴とするＭＲＩ用磁界発生装置を提供する。
【００１６】
第１２の観点では、本発明は、前記第８から第１１のいずれかの観点によるＭＲＩ用磁界発生装置において、該磁界発生装置を目的場所に輸送後に前記固定部材を除去可能であることを特徴とするＭＲＩ用磁界発生装置を提供する。
【００１７】
第１３の観点では、本発明は、前記第１または第２の観点によるＭＲＩ用磁界発生装置において、該磁界発生装置を目的場所に輸送後に前記覆い部材を除去可能であることを特徴とするＭＲＩ用磁界発生装置を提供する。
【００１８】
第１４の観点では、本発明は、空間を挟んで互いに対向する一対のプレートヨークと、前記一対のプレートヨークの対向部分に設置された一対のマグネットと、前記プレートヨークに磁気的に結合したコラムヨークとを含む発生装置本体を有するＭＲＩ用磁界発生装置の包装方法であって、非磁性体材料の部材で前記発生装置本体の全体を覆うステップ；および前記部材を前記発生装置本体に固定するステップを有することを特徴とするＭＲＩ用磁界発生装置包装方法を提供する。
【００１９】
第１５の観点では、本発明は、空間を挟んで互いに対向する一対のプレートヨークと、前記一対のプレートヨークの対向部分に設置された一対のマグネットと、前記プレートヨークに磁気的に結合したコラムヨークとを含む発生装置本体を有するＭＲＩ用磁界発生装置の包装方法であって、非磁性体材料の部材で前記発生装置本体の上面および側面を覆うか又は前記発生装置本体の側面を覆うか又は前記発生装置本体の底面および側面を覆うステップ；および前記部材を前記発生装置本体に固定するステップを有することを特徴とするＭＲＩ用磁界発生装置包装方法を提供する。
【００２０】
第１６の観点では、本発明は、前記第１４または第１５の観点によるＭＲＩ用磁界発生装置包装方法において、前記部材の少なくとも前記発生装置本体の開口部分を覆う部分が、ステンレス鋼、アルミニウム、銅、ナイロン、木綿、麻、リンネル、ゴムまたはプラスチックの網を含むことを特徴とするＭＲＩ用磁界発生装置包装方法を提供する。
【００２１】
第１７の観点では、本発明は、前記第１４または第１５の観点によるＭＲＩ用磁界発生装置包装方法において、前記部材が、ステンレス鋼、アルミニウム、銅、ナイロン、木綿、麻、リンネル、ゴムまたはプラスチックの密に織った布で作られていることを特徴とするＭＲＩ用磁界発生装置包装方法を提供する。
【００２２】
第１８の観点では、本発明は、前記第１４または第１５の観点によるＭＲＩ用磁界発生装置包装方法において、前記部材の少なくとも前記発生装置本体の開口部分を覆う部分が、ステンレス鋼、アルミニウム、銅、ナイロン、木綿、麻、リンネル、ゴムまたはプラスチックの網を含み、前記部材の他の部分が、ステンレス鋼、アルミニウム、銅、ナイロン、木綿、麻、リンネル、ゴムまたはプラスチックの密に織った布で作られていることを特徴とするＭＲＩ用磁界発生装置包装方法を提供する。
【００２３】
第１９の観点では、本発明は、前記第１４から第１８のいずれかの観点によるＭＲＩ用磁界発生装置包装方法において、前記固定ステップが、
ステンレス鋼、アルミニウム、銅、ナイロン、木綿、麻、リンネル、ゴムまたはプラスチックの紐または綱を用いて前記部材を前記発生装置本体に固定するステップを含むことを特徴とするＭＲＩ用磁界発生装置包装方法を提供する。
【００２４】
第２０の観点では、本発明は、前記第１９の観点によるＭＲＩ用磁界発生装置包装方法において、前記発生装置本体を覆う部材および前記紐または綱が、前記磁界発生装置を目的場所に輸送後に除去可能であることを特徴とするＭＲＩ用磁界発生装置包装方法を提供する。
【発明の効果】
【００２５】
本発明のＭＲＩ用磁界発生装置およびＭＲＩ用磁界発生装置包装方法によれば、磁界発生装置と覆い部材の間に、スタッドのような結合部材を必要としないから、磁性物体が磁界発生装置の内部に入り込むことを確実に防止しつつ、ＭＲＩ用磁界発生装置を保管または輸送するために梱包または包装するのに要する時間と労力を節減できる。
【発明を実施するための最良の形態】
【００２６】
以下、図に示す実施の形態により本発明をさらに詳細に説明する。なお、これにより本発明が限定されるものではない。
【実施例１】
【００２７】
図１は、覆い部材で覆われている本発明の実施例１に係るＭＲＩ用磁界発生装置を示す斜視図である。
この図に示されているように、ＭＲＩ用磁界発生装置１００は、発生装置本体１および発生装置本体１を全体的に覆う覆い部材１０を含んでいる。
覆い部材１０は、天部１０ｔと、網部１０ｍを持つ側部１０ｓと、底部１０ｂとを有する大きな袋であり、発生装置本体１を上から全体的に覆うように作られている。網部１０ｍは発生装置本体１の開口部１ａを覆っており、網部１０ｍを透して覆い部材１０の内側にある発生装置本体１を見ることが出来る。
【００２８】
天部１０ｔ、網部１０ｍを除く側部１０ｓおよび底部１０ｂは、例えばステンレス鋼、アルミニウム、銅、ナイロン、木綿、麻、リンネル、ゴムまたはプラスチックを密に織った布のような非磁性材料で作られている。
網部１０ｍは、例えばステンレス鋼、アルミニウム、銅、ナイロン、木綿、麻、リンネル、ゴムまたはプラスチックの網またはネットのような非磁性材料で作られている。
【００２９】
天部１０ｔ、側部１０ｓおよび底部１０ｂ、それから網部１０ｍの材料は、上記材料に限定されるものではなく、リグやレンチやジャッキやハンマーのような磁性物体が磁界発生装置１００の中に入り込むのを防止できると共に磁界発生装置１００の内部構造を保護できるような強さを持つ任意の材料を使ってもよい。
【００３０】
天部１０ｔは、発生装置本体１の４つのリング１ｃが飛び出る４つの穴１０ｈを持っている。４つのリング１ｃは、図４に示す上部プレートヨーク１ｄに設けられている。これらのリング１ｃは、ＭＲＩ用磁界発生装置１００を吊り上げるのに用いられる。参照番号１ｂは、発生装置本体１の足を指している。
【００３１】
図２は、覆い部材で覆われているＭＲＩ用磁界発生装置１００を示す底面図である。
固定部材１１は、覆い部材１０の底部を底部１０ｂで塞ぐことによって、覆い部材１０を発生装置本体１に固定する。
固定部材１１は、ステンレス鋼、アルミニウム、銅、ナイロン、木綿、麻、リンネル、ゴムまたはプラスチックの紐または綱である。
固定部材１１の材料は上記材料に限定されるものではなく、覆い部材１０を発生装置本体１に固定できると共に磁性物体が磁界発生装置１００に引き込まれるのを防止できるような強さを持つ任意の材料を固定部材１１として使ってもよい。
参照番号１０ｒは、固定部材１１を通すための貫通穴を指している。
【００３２】
図３は、覆い部材１０の斜視図である。
この図に示すように、底部１０ｂは、覆い部材１０の底を塞ぐ蓋としての機能を有している。
この図では覆い部材１０は自己形状保持構造に見えるが、覆い部材１０は、自己形状保持構造でなく、柔軟性を有する構造である。
【００３３】
図４は、発生装置本体１の斜視図である。
この図は、発生装置本体１が覆い部材で覆われていない状態を示している。
発生装置本体１は、空間を挟んで互いに対向する一対のプレートヨーク１ｄと、プレートヨーク１ｄの対向部分に設置された一対のマグネット１ｅと、プレートヨーク１ｄに磁気的に結合した一対のコラムヨーク１ｆとを含んでいる。
【００３４】
以上のように、実施例１のＭＲＩ用磁界発生装置１００は、簡単な構成であり、これによりＭＲＩ用磁界発生装置１００を保管または輸送するための梱包または包装の時間と労力とを節減できる。さらに、覆い部材１０が発生装置本体１を全体的に覆うから、磁界発生装置を吊り上げたり目的場所へ輸送したりする場合でも、リグやレンチやジャッやハンマーのような磁性物体が磁界発生装置の内部に引き込まれることを確実に防止できる。
【実施例２】
【００３５】
図５は、覆い部材で覆われている本発明の実施例２に係るＭＲＩ用磁界発生装置を示す斜視図である。
この図に示されているように、ＭＲＩ用磁界発生装置２００は、発生装置本体１および発生装置本体１の上面および側面を覆う覆い部材２０を含んでいる。
覆い部材２０は、天部２０ｔと、網部２０ｍを持つ側部２０ｓとを有し、底の開いた大きな袋であり、発生装置本体１を上から覆うように作られている。網部２０ｍは発生装置本体１の開口部１ａを覆っており、網部２０ｍを透して覆い部材２０の内側にある発生装置本体１を見ることが出来る。
【００３６】
天部２０ｔおよび網部２０ｍを除く側部２０ｓは、例えばステンレス鋼、アルミニウム、銅、ナイロン、木綿、麻、リンネル、ゴムまたはプラスチックを密に織った布のような非磁性材料で作られている。
網部２０ｍは、例えばステンレス鋼、アルミニウム、銅、ナイロン、木綿、麻、リンネル、ゴムまたはプラスチックの網またはネットのような非磁性材料で作られている。
【００３７】
天部２０ｔおよび側部２０ｓ、それから網部２０ｍの材料は、上記材料に限定されるものではなく、リグやレンチやジャッキやハンマーのような磁性物体が磁界発生装置２００の中に入り込むのを防止できると共に磁界発生装置２００の内部構造を保護できるような強さを持つ任意の材料を使ってもよい。
【００３８】
天部２０ｔは、発生装置本体１の４つのリング１ｃが飛び出る４つの穴２０ｈを持っている。４つのリング１ｃは、上部プレートヨーク１ｄに設けられている。これらのリング１ｃは、ＭＲＩ用磁界発生装置２００を吊り上げるのに用いられる。参照番号１ｂは、発生装置本体１の足を指している。
【００３９】
図６は、覆い部材で覆われているＭＲＩ用磁界発生装置２００を示す底面図である。
固定部材２１、２２、２３および２４は、側部２０ｓの底側部分を結ぶことによって、覆い部材２０を発生装置本体１に固定する。
固定部材２１、２２、２３および２４は、ステンレス鋼、アルミニウム、銅、ナイロン、木綿、麻、リンネル、ゴムまたはプラスチックの紐または綱である。
固定部材２１、２２、２３および２４の材料は上記材料に限定されるものではなく、覆い部材２０を発生装置本体１に固定できると共に磁性物体が磁界発生装置２００に引き込まれるのを防止できるような強さを持つ任意の材料を固定部材２１、２２、２３および２４として使ってもよい。
参照番号２０ｒは、固定部材２１、２２、２３および２４を通すための貫通穴を指している。
【００４０】
図７は、覆い部材２０の斜視図である。
この図に示すように、覆い部材２０の底は開いている。この図では覆い部材２０は自己形状保持構造に見えるが、覆い部材２０は、自己形状保持構造でなく、柔軟性を有する構造である。
【００４１】
以上のように、実施例２のＭＲＩ用磁界発生装置２００は、簡単な構成であり、これによりＭＲＩ用磁界発生装置２００を保管または輸送するための梱包または包装の時間と労力とを節減できる。さらに、覆い部材２０が発生装置本体１の底面を覆わないから、構造がより簡単で済む。なお、覆い部材２０の天地を逆にして使ってもよい。
【実施例３】
【００４２】
図８は、覆い部材で覆われている本発明の実施例３に係るＭＲＩ用磁界発生装置を示す斜視図である。
この図に示されているように、ＭＲＩ用磁界発生装置３００は、発生装置本体１および発生装置本体１の側面を覆う覆い部材３０を含んでいる。
覆い部材３０は、網部３０ｍを持つ側部３０ｓを有し、天と底の開いた大きな筒である。網部３０ｍは発生装置本体１の開口部１ａを覆っており、網部３０ｍを透して覆い部材３０の内側にある発生装置本体１を見ることが出来る。
【００４３】
網部３０ｍを除く側部３０ｓは、例えばステンレス鋼、アルミニウム、銅、ナイロン、木綿、麻、リンネル、ゴムまたはプラスチックを密に織った布のような非磁性材料で作られている。
網部３０ｍは、例えばステンレス鋼、アルミニウム、銅、ナイロン、木綿、麻、リンネル、ゴムまたはプラスチックの網またはネットのような非磁性材料で作られている。
【００４４】
側部３０ｓそれから網部３０ｍの材料は、上記材料に限定されるものではなく、リグやレンチやジャッキやハンマーのような磁性物体が磁界発生装置３００の中に入り込むのを防止できると共に磁界発生装置３００の内部構造を保護できるような強さを持つ任意の材料を使ってもよい。
【００４５】
発生装置本体１の４つのリング１ｃは、上部プレートヨークに設けられており、天の開いた部分から露出している。これらのリング１ｃは、ＭＲＩ用磁界発生装置３００を吊り上げるのに用いられる。参照番号１ｂは、発生装置本体１の足を指している。
【００４６】
固定部材３１、３２、３３および３４（および図６に示す２１、２２、２３および２４）は、側部３０ｓの天側部分（および図６に示す底側部分）を結ぶことによって、覆い部材３０を発生装置本体１に固定する。固定部材３１、３２、３３および３４は、ステンレス鋼、アルミニウム、銅、ナイロン、木綿、麻、リンネル、ゴムまたはプラスチックの紐または綱である。
固定部材３１、３２、３３および３４の材料は上記材料に限定されるものではなく、覆い部材３０を発生装置本体１に固定できると共に磁性物体が磁界発生装置３００に引き込まれるのを防止できるような強さを持つ任意の材料を固定部材３１、３２、３３および３４として使ってもよい。
参照番号３０ｒは、固定部材３１、３２、３３および３４（および図６に示す２１、２２、２３および２４）を通すための貫通穴を指している。
【００４７】
図９は、覆い部材３０の斜視図である。
この図に示すように、覆い部材３０の天および底は開いている。この図では覆い部材３０は自己形状保持構造に見えるが、覆い部材３０は、自己形状保持構造でなく、柔軟性を有する構造である。
【００４８】
以上のように、実施例３のＭＲＩ用磁界発生装置３００は、簡単な構成であり、これによりＭＲＩ用磁界発生装置３００を保管または輸送するための梱包または包装の時間と労力とを節減できる。さらに、覆い部材３０が発生装置本体１の上面および底面を覆わないから、構造がより簡単で済む。なお、覆い部材３０の天地を逆にして使ってもよい。
【実施例４】
【００４９】
図１０は、覆い部材で覆われている本発明の実施例４に係るＭＲＩ用磁界発生装置を示す斜視図である。
この図に示されているように、ＭＲＩ用磁界発生装置４００は、発生装置本体１および発生装置本体１の側面を覆う覆い部材４０を含んでいる。
覆い部材４０は、非網部４０ｓと網部４０ｍとを有する大きな帯である。網部４０ｍは発生装置本体１の開口部１ａを覆っており、網部４０ｍを透して覆い部材４０の内側にある発生装置本体１を見ることが出来る。
【００５０】
非網部４０ｓは、例えばステンレス鋼、アルミニウム、銅、ナイロン、木綿、麻、リンネル、ゴムまたはプラスチックを密に織った布のような非磁性材料で作られている。
網部４０ｍは、例えばステンレス鋼、アルミニウム、銅、ナイロン、木綿、麻、リンネル、ゴムまたはプラスチックの網またはネットのような非磁性材料で作られている。
【００５１】
非網部４０ｓそれから網部４０ｍの材料は、上記材料に限定されるものではなく、リグやレンチやジャッキやハンマーのような磁性物体が磁界発生装置４００の中に入り込むのを防止できると共に磁界発生装置４００の内部構造を保護できるような強さを持つ任意の材料を使ってもよい。
【００５２】
発生装置本体１の４つのリング１ｃは、上部プレートヨークに設けられており、ＭＲＩ用磁界発生装置４００の上面に露出している。これらのリング１ｃは、ＭＲＩ用磁界発生装置４００を吊り上げるのに用いられる。参照番号１ｂは、発生装置本体１の足を指している。
【００５３】
固定部材４１および４２は、覆い部材４０を１周することによって、覆い部材４０を発生装置本体１に固定する。
固定部材４１および４２は、ステンレス鋼、アルミニウム、銅、ナイロン、木綿、麻、リンネル、ゴムまたはプラスチックの紐または綱である。
固定部材４１および４２の材料は上記材料に限定されるものではなく、覆い部材４０を発生装置本体１に固定できると共に磁性物体が磁界発生装置４００に引き込まれるのを防止できるような強さを持つ任意の材料を固定部材４１および４２として使ってもよい。
【００５４】
図１１は、覆い部材４０の斜視図である。
この図に示すように、覆い部材４０は、発生装置本体１の側面に巻き付けられる。この図では覆い部材４０は自己形状保持構造に見えるが、覆い部材４０は、自己形状保持構造でなく、柔軟性を有する構造である。
【００５５】
以上のように、実施例４のＭＲＩ用磁界発生装置４００は、簡単な構成であり、これによりＭＲＩ用磁界発生装置４００を保管または輸送するための梱包または包装の時間と労力とを節減できる。さらに、覆い部材４０が巻き付けタイプであるから、覆い部材４０を発生装置本体１に装着する際に発生装置本体１を吊り上げなくても済む。
【実施例５】
【００５６】
図１２は、覆い部材で覆われている本発明の実施例５に係るＭＲＩ用磁界発生装置を示す斜視図である。
この図に示されているように、ＭＲＩ用磁界発生装置５００は、発生装置本体１および発生装置本体１の側面を覆う覆い部材５０を含んでいる。
覆い部材５０は、非網部５０ｓと、網部５０ｍと、複数の固定部材５１、５２および５３とを有する大きな帯である。網部５０ｍは発生装置本体１の開口部１ａを覆っており、網部５０ｍを透して覆い部材５０の内側にある発生装置本体１を見ることが出来る。
【００５７】
非網部５０ｓは、例えばステンレス鋼、アルミニウム、銅、ナイロン、木綿、麻、リンネル、ゴムまたはプラスチックを密に織った布のような非磁性材料で作られている。
網部５０ｍは、例えばステンレス鋼、アルミニウム、銅、ナイロン、木綿、麻、リンネル、ゴムまたはプラスチックの網またはネットのような非磁性材料で作られている。
【００５８】
非網部５０ｓそれから網部５０ｍの材料は、上記材料に限定されるものではなく、リグやレンチやジャッキやハンマーのような磁性物体が磁界発生装置５００の中に入り込むのを防止できると共に磁界発生装置５００の内部構造を保護できるような強さを持つ任意の材料を使ってもよい。
【００５９】
固定部材５１、５２および５３は、ファスニングテープまたはバックルである。
【００６０】
発生装置本体１の４つのリング１ｃは、上部プレートヨークに設けられており、ＭＲＩ用磁界発生装置５００の上面に露出している。これらのリング１ｃは、ＭＲＩ用磁界発生装置５００を吊り上げるのに用いられる。参照番号１ｂは、発生装置本体１の足を指している。
【００６１】
図１３は、覆い部材５０の斜視図である。
この図に示すように、覆い部材５０が発生装置本体１の側面に巻き付けられ、固定部材５１、５２および５３が対応する固定部材５４、５５および５６に固定される。
固定部材５１と対応する固定部材５４の対、固定部材５２と対応する固定部材５５の対および固定部材５３と対応する固定部材５６の対は、それぞれ通常の又は従来のベルクロファスナーまたはベルクロストラップである。
しかしながら、これらは通常の又は従来のベルクロファスナーまたはベルクロストラップに限定されず、覆い部材５０を発生装置本体１に固定できると共に磁性物体が磁界発生装置５００に引き込まれるのを防止できるような強さを持つ任意の構造であってもよい。
【００６２】
以上のように、実施例５のＭＲＩ用磁界発生装置５００は、簡単な構成であり、これによりＭＲＩ用磁界発生装置５００を保管または輸送するための梱包または包装の時間と労力とを節減できる。さらに、覆い部材５０が巻き付けタイプであるから、覆い部材５０を発生装置本体１に装着する際に発生装置本体１を吊り上げなくても済む。さらにまた、
固定部材５１、５２および５３が覆い部材５０と一体に設けられているから、取り扱いが便利になる。
【実施例６】
【００６３】
以上の実施例では、網部が覆い部材に設けられている。網部のサイズに関して言うと、発生装置本体１の全体または開口部を覆い、網部を透して覆い部材の内側にある発生装置本体を見ることが出来るならば、サイズは自由である。
【実施例７】
【００６４】
また、覆い部材は、網部なしに又は非網部だけで構成してもよい。
【実施例８】
【００６５】
本発明は、上記実施形態に限定されず、本発明の技術思想内での変更、改造または代替は、本発明の権利範囲に含まれるものである。
【図面の簡単な説明】
【００６６】
【図１】覆い部材で覆われている本発明の実施例１に係るＭＲＩ用磁界発生装置を示す斜視図である。
【図２】覆い部材で覆われている本発明の実施例１に係るＭＲＩ用磁界発生装置を示す底面図である。
【図３】本発明の実施例１に係る覆い部材を示す斜視図である。
【図４】発生装置本体を示す斜視図である。
【図５】覆い部材で覆われている本発明の実施例２に係るＭＲＩ用磁界発生装置を示す斜視図である。
【図６】覆い部材で覆われている本発明の実施例２に係るＭＲＩ用磁界発生装置を示す底面図である。
【図７】本発明の実施例２に係る覆い部材を示す斜視図である。
【図８】覆い部材で覆われている本発明の実施例３に係るＭＲＩ用磁界発生装置を示す底面図である。
【図９】本発明の実施例３に係る覆い部材を示す斜視図である。
【図１０】覆い部材で覆われている本発明の実施例４に係るＭＲＩ用磁界発生装置を示す底面図である。
【図１１】本発明の実施例４に係る覆い部材を示す斜視図である。
【図１２】覆い部材で覆われている本発明の実施例５に係るＭＲＩ用磁界発生装置を示す底面図である。
【図１３】本発明の実施例５に係る覆い部材を示す斜視図である。
【符号の説明】
【００６７】
１          発生装置本体
１ａ        開口部
１ｂ        足
１ｃ        リング
１ｄ        プレートヨーク
１ｅ        マグネット
１ｆ        コラムヨーク
１０        覆い部材
１０ｈ      穴
１０ｂ      底部
１０ｍ      網部
１０ｒ      貫通穴
１０ｓ      側部
１０ｔ      天部
１１        固定部材
１００      ＭＲＩ用磁界発生装置
【図１】
2006513789.tif 000003
【図２】
2006513789.tif 000004
【図３】
2006513789.tif 000005
【図４】
2006513789.tif 000006
【図５】
2006513789.tif 000007
【図６】
2006513789.tif 000008
【図７】
2006513789.tif 000009
【図８】
2006513789.tif 000010
【図９】
2006513789.tif 000011
【図１０】
2006513789.tif 000012
【図１１】
2006513789.tif 000013
【図１２】
2006513789.tif 000014
【図１３】
2006513789.tif 000015
【国際調査報告】
2006513789.tif 000016
2006513789.tif 000017
2006513789.tif 000018